(57)【要約】 【課題】防水性材料で完全に包囲され結露しない内部空間を有する空気を通す通気性と水を通さない防水性のあるバッグを提供する。【解決手段】前記バッグの前記防水性材料の少なくとも一部は、通気性のある防水性材料層２１を有する通気性と防水性のある多層構造材料層２０であり、前記バッグは、その内部に加熱装置４０を有し、前記加熱装置４０は、前記バッグ内の空気と熱的に接触する加熱用抵抗体４１と、前記加熱用抵抗体４１に接続され前記バッグ内に収納されるバッテリー４２と、制御装置４３とを有する。【選択図】  図１
2019217285.tif 000002
【特許請求の範囲】
【請求項１】
防水性材料で完全に包囲され結露しない内部空間を有し空気を通す通気性と水を通さない防水性のあるバッグにおいて、
前記防水性材料の少なくとも一部は、通気性のある防水性材料層（２１）を有する通気性と防水性のある多層構造（２０）であり、
前記バッグは、その内部に加熱装置（４０）を有し、
前記加熱装置（４０）は、
＊前記バッグ内の空気と熱的に接触する加熱用抵抗体（４１）と、
＊前記加熱用抵抗体（４１）に接続され前記バッグ内に収納されるバッテリー（４２）と、
＊制御装置（４３）と
を有することを特徴とする通気性と防水性のあるバッグ。
【請求項２】
前記加熱用抵抗体（４１）は、
（ａ）前記防水性材料に取り付けられる、
（ｂ）前記多層構造（２０）に取り付けられる、
（ｃ）前記多層構造（２０）の間に取り付けられる
のいずれかである
ことを特徴とする請求項１記載のバッグ。
【請求項３】
前記加熱用抵抗体（４１）は縫うことにより取り付けられる
ことを特徴とする請求項２記載のバッグ。
【請求項４】
前記制御装置（４３）は温度センサーを有し、
前記温度センサーから得られた読み取り値に応答して、前記加熱用抵抗体（４１）のスイッチを入れる
ことを特徴とする請求項１−３のいずれかに記載のバッグ。
【請求項５】
前記制御装置（４３）は、遠隔制御装置（４５）に接続される無線通信装置（４４）を有する、又は
前記制御装置（４３）は、遠隔制御装置（４５）に接続される無線通信装置（４４）を有し、前記無線通信装置（４４）は、ＷＩＦＩのアンテナ又はＢＬＵＥＴＯＯＴＨのアンテナの内の少なくとも一方であり、前記遠隔制御装置（４５）は、スマート・フォン、スマート・ウオッチ、コンピュータの内の少なくとも１つである
ことを特徴とする請求項１−４のいずれかに記載のバッグ。
【請求項６】
前記バッテリー（４２）は、
（ａ）前記バッグ内のポケットに収納される、
（ｂ）可動コネクタの手段により前記加熱用抵抗体（４１）に接続される、
（ｃ）付属の電子機器に電力を供給する付属接続ケーブル（４６）を有する、
（ｄ）付属の電子機器に電力を供給する外側ポケットを介して、前記バッグの外からアクセス可能な付属接続ケーブル（４６）を有する
のいずれかである
ことを特徴とする請求項１−５のいずれかに記載のバッグ。
【請求項７】
前記通気性のある防水性材料層（２１）は、天然の又はコラーゲンのレザー層（１０）を有し、
前記レザー層（１０）は、通気性を向上させる小孔（１１）を有し、前記バッグの外側を形成し、前記防水性材料層（２１）は前記バッグの内側を形成する
ことを特徴とする請求項１−６のいずれかに記載のバッグ。
【請求項８】
前記レザー層（１０）は、前記小孔（１１）を介した水の吸収を阻止する為に、疎水性剤（hydrophobic agent）又はシリコン・エステル（silicone ester）でコーティングされている
ことを特徴とする請求項７記載のバッグ。
【請求項９】
前記レザー層（１０）は、前記防水性材料層（２１）が接着する側とは反対の側に、表面コーティング層（１２）又はポリウレタン・ワニス（polyurethane vanish）を有する
ことを特徴とする請求項７−８のいずれかに記載のバッグ。
【請求項１０】
前記レザー層（１０）は、グラフェン−ベースのドーピング剤（graphene-based doping agent）と赤外線反射剤（infrared-reflecting agent）の少なくとも一方でコーティングされている
ことを特徴とする請求項７−９のいずれかに記載のバッグ。
【請求項１１】
前記防水性材料層（２１）は、
（ａ）加水分解耐性を有する手段で非積層構造となるよう接着された水を吸収せず通気性のある材料製の強化層（３０）と、
（ｂ）加水分解耐性を有する手段で非積層構造となるよう接着された水を吸収せず通気性のある材料製の３Ｄファブリック層と
の内の少なくとも一方を含み、
前記防水性材料層（２１）は、前記レザー層（１０）と前記強化層（３０）又は前記３Ｄファブリック層との間にある
ことを特徴とする請求項７−１０のいずれかに記載のバッグ。
【請求項１２】
前記バッグは、耐水性の接着テープでシールされたシームを有し、前記テープは前記シームの上部に接着されている
ことを特徴とする請求項１−１１のいずれかに記載のバッグ。
【請求項１３】
（ａ）疎水性剤でコーティングされた前記レザー層（１０）は、疎水性剤でコーティングされていない同等のレザー層に比較し、１０％以下の吸収性能を有する、
（ｂ）疎水性剤でコーティングされた前記レザー層（１０）は、疎水性剤でコーティングされていない同等のレザー層に比較し、１ｃｍ／ｈ以下の毛細管吸収性能を有する、
（ｃ）前記通気性がある防水性多層構造材料層（２０）は、４７５ｇ／ｍ２以上の蒸気透過率性能を有する、
（ｄ）前記通気性がある防水性多層構造材料層（２０）は、少なくとも２分間１０ｐｓｉ以上の水分透過耐性（resistance to the passage of water）を有する、
の内の少なくとも１つを有する
ことを特徴とする請求項７−１１のいずれかに記載のバッグ。
【請求項１４】
前記加熱用抵抗体（４１）は、フレキシブルな半導体である
ことを特徴とする請求項１−１３のいずれかに記載のバッグ。
【請求項１５】
前記加熱装置（４０）は、光信号と音信号から選択された信号発信器を有し、前記加熱用抵抗体（４１）の活性状態、温度、バッテリーの充電状態を通知する
ことを特徴とする請求項１−１４のいずれかに記載のバッグ。
【発明の詳細な説明】
【技術分野】
【０００１】
本発明は、内部が結露しない防水性と通気性のあるバッグに関する。このバッグはその少なくとも一部に通気性と防水性のある多層構造材料を含む。この多層構造材料は、空気と水蒸気はバッグの内から外に透過させるが、水が外から内に入り込むのは阻止する。このバッグは、例えばリュックサック、財布、ブリーフケース、スーツケース、バッグ、キットバッグあるいは他の類似のレザー製品である。
【背景技術】
【０００２】
本発明のバッグは加熱装置を有する。加熱装置は、バッグ内部にバッテリーに接続された加熱用抵抗体で形成され、バッグの内部温度を上げている。これによりバッグ内の湿度が高くバック外の温度が変化する状態においても、バッグ内に結露が生じるのを阻止する。
【０００３】
通気性と防水性のある多層構造材料の使用はバッグの製造において公知である。
【０００４】
この種のバッグは雨水のような外側の水がバッグ内に入り込むのを阻止するが、バッグ内の湿分が外へ透過するのは可能にする。例えば濡れた物あるいは濡れた衣服がバッグ内に入れられた場合水分の蒸発を可能とする。
【０００５】
バッグ内の空気の急速な温度低下の状態、例えばバッグを温かい室内環境から寒い外気環境に移した時には、バッグから湿分を蒸発させて除去する前に、急速な温度低下がバッグの内側の湿分を結露させる。
【０００６】
この現象はバッグ内に電子部品を入れた場合にはより頻繁に起こる。温かい室内で使用される電子部品は、バッグに入れた時には使用中に暖まった状態に依然としてあるが、そのバッグが寒い環境に持ち出された時には、結露が電子部品で起こり酸化を促進させる。
【０００７】
通気性と防水性のある多層構造材料は、通気性を改善するために小孔が開けられているか、微細孔（以下「小孔」とも称する）の開いたレザー層を有する。通常このレザーには表面保護処理が施されている。  しかし水が小孔を通して移動する場合には、レザーは防水機能を失う。小孔の開いたレザーの防水機能を回復するために製靴業界では通気性と防水性のある材料を用いている。
【０００８】
ＥＳ２１４２６２０Ｔ３は、通気性と防水性のあるソール（靴の足裏）を具備した靴を開示する。このソールは、小孔の開いたソールと、防水性と通気性のある層と、通気性のある材料あるいは小孔の開いた材料からなるインソール（靴の中底）を有する。レザーはオプションである。
【０００９】
ＥＰ０６１９９５９Ａ１は、上記に類似した通気性と防水性のある靴のソールを開示する。
【００１０】
これら２つの解決方法においては、レザー層は水を吸収する。その結果膨張し変形し、吸収性のあるフル・グレイン・レザー（full grain leather）を用いた場合と表面保護処理を施したレザーを用いた場合の両方において、好ましくない外観を呈する。孔又は細孔（以下「小孔」と総称する）は、保護コーティング層を貫通し、小孔により形成されるダクト（通路）の内側の側面で、コーティングされていないレザーが露出する。
【００１１】
更にレザーのような水吸収性材料に小孔を開けると水滴（water droplet）が形成される。水滴は、表面にできると、毛細管現象により小孔の内部方向に吸引される。
【発明の概要】
【発明が解決しようとする課題】
【００１２】
本発明は、内部が結露しない防水性と通気性のあるバッグに関する。このバッグは、防水性材料で完全に包囲された内部空間を有する。前記防水性材料は、少なくとも一部に通気性と防水性のある材料の層を含む通気性のある多層構造材料であり、空気は通過するが水が通過するのを阻止する。
【００１３】
即ちバッグの内部は完全に防水性のある材料で包囲されているが、この防水性のある材料の全てあるいは一部は、通気性と防水性のある多層構造材料でもある。
【００１４】
「通気性と防水性のある材料の層」とは、液状の水の通過は阻止するが、空気と水蒸気の通過は阻止しない層のことである。これは、小孔（pore）を有する層で実現できる。この小孔のサイズは、水滴の大きさの数千分の一のオーダーであり、水蒸気の分子（water vapour molecule）の数百倍のオーダーである。
【００１５】
通気性と防水性のある材料の水蒸気透過率は、４７５ｇ／ｃｍ２以上である。この値は、現在有効な標準規格ＢＳ  ７２０９：１９９０のガイドラインに沿って測定できる。
【００１６】
前記防水材料の層は、少なくとも２分間、１０ｐｓｉ以上の水圧に対し耐性を有する。この値は、現在有効な標準規格ＩＳＯ  ８１１：２０１８のガイドラインに沿って測定できる。
【課題を解決するための手段】
【００１７】
本発明は、従来知られていなかった、通気性と防水性のあるバッグは、その内部に加熱装置を有する。加熱装置は、加熱用抵抗体（バッグの内部空気と熱的に接触する）と、バッテリー（前記バッグ内に収納され加熱用抵抗体に接続される）と、制御装置（これにより加熱用抵抗体をバッテリーに接続したり切り離したりして活性化あるいは非活性化を制御する）とを有する。
【００１８】
加熱用抵抗体は、バッテリーにより電力が与えられバッグの内部温度を上昇させ、これにより温度上昇を達成し、そしてバッグ内に含まれる湿分の結露を回避する。
【００１９】
バッグ内部の空気の冷却は、バッグが温かい環境（例温暖室内）から寒い屋外に出た場合に起きる。
【００２０】
冷たい空気は暖かい空気よりも蒸気／湿分を少ししか含むことができず、バッグ内の空気の湿度が高い場合には、冷却により１００％に達するまで蒸気の含有割合が増加し、結露を生じさせる。
【００２１】
本発明の加熱装置は、この様な現象を阻止し、バッグの中身を結露から守り、バッグ内の空気の湿度を低下させる。これは、特に電子部品（例、タブレット、コンピュータ等）がバッグ内に収納されている場合には重要である。
【００２２】
加熱用抵抗体はフレキシブルな半導体である。これによりバッグを構成する材料の動きに合わせることができる。
【００２３】
通気性と防水性のあるバッグの更なる実施例によれば、バッテリーはバッグのポケット内に収納され、可動コネクタにより加熱用抵抗体に連結され、バッテリーの素早い取り外しあるいは取り替えを加熱用抵抗体をバッグに取り付けられたまま行える。
【００２４】
制御装置は、バッテリー内に内蔵され前記バッテリーと共にバッグから取り出すか、加熱用抵抗体と共にバッグ内に内蔵され、バッテリーのみを取り出すこともできる。
【００２５】
可動コネクタは、プラグ／ソケット・タイプの標準のコネクタであり、素早くかつ安全に接続あるいは切り離しができ、バッテリーを交換したり充電することが、素早くかつ安全にできる。
【００２６】
本発明の一実施例によれば、加熱用抵抗体は防水性のある材料に取り付けられ、好ましくは、通気性と防水性のある多層構造材料に取り付けられ、例えば、通気性のある多層構造材料の間に埋設される。
【００２７】
加熱用抵抗体は、その操作を邪魔しないよう、バッグに縫い付けて固定される。
【００２８】
制御装置は温度センサーを有する。この温度センサーにより得られた読み取り値に応答して加熱用抵抗体の電源を入れる。かくしてバッグは、結露を起こすとされる温度条件に達した時に加熱用抵抗体の電源を自動的に入れる。これは制御装置内に組み込まれたプログラミングに従って行われる。
【００２９】
制御装置は、更にあるいはこれに代えて無線通信装置を有する。この無線通信装置は遠隔地にある制御装置例えばスマートフォン、スマートウォッチ、タブレット、コンピュータ等に接続される。
【００３０】
無線通信装置はＷＩＦＩアンテナ又はＢＬＵＥＴＯＯＴＨアンテナである。遠隔の制御装置に接続されていると、この遠隔制御装置により、ユーザはバッグ内の加熱用抵抗体を遠方から入り切りできる。この制御装置は、温度センサーを有してよく、天気予報データ（例えば大気中の湿度割合）にインターネットを介してアクセスしてもよい。あるいは加熱装置をあるパラメータ（例、天気のデータ）に応じて、あるいは制御装置に埋設されたセンサーからの読み取り値に応じて、加熱用抵抗体をオン・オフできる。
【００３１】
他の特徴も有する。遠隔制御装置がバッグから取り出された時には、加熱用抵抗体をオフにする、あるいは警報信号を発する。加熱用抵抗体の温度レベル又はバッテリーの充電レベルを前記遠隔制御装置を介してを制御することもできる。
【００３２】
加熱装置は、光信号あるいは音信号から選択された信号を発信する信号発振器を有してもよい。これにより加熱抵抗の活性状態／温度、バッテリーの充電状態を知ることができる。
【００３３】
バッテリーは、接続ケーブルを有し、電力を更なる電子装置に即ち加熱装置を有さない電子装置例えばスマートフォンに電力を供給してもよい。かくしてバッグ内のバッテリーは、更なる電気装置用のバックアップ用バッテリーとして機能できる。
【００３４】
この接続ケーブルはバッグの外から外側ポケットを介してアクセス可能である。かくして外側ポケットに収納された電子装置がチャージされたり、接続ケーブルの一部がポケットから取り外された場合には、バッテリーがチャージされている間も電子デバイスの操作が可能となる。バッテリーは、１２Ｖバッテリーである。
【００３５】
本発明の他の実施によれば、通気性と防水性のある多層構造材料は、天然レザー層あるいはコラーゲン・レザー層を含む。これらのレザー層には、通気性を増加させるために、小孔あるいは微細孔が空けられている。レザー層はバッグの外側に、通気性と防水性のある材料はバッグの内側に配置される。
【００３６】
天然レザーは動物の皮をなめすことにより得られたレザーである。コラーゲン・レザーは動物由来あるいは他の生物由来のコラーゲンを処理することにより得られたレザーであり、天然レザーと同等の特性と外観を有する。
【００３７】
例えばコラーゲン・レザーは、天然レザーをリサイクルすることにより得られるコラーゲンから、或いはコラーゲンを生成するために遺伝子的に改変された細胞の培養により生成されたコラーゲンから得られる。
【００３８】
表面保護処理を施こしていないレザーは、フル・グレイン・レザー（full grain leather）と称する。このフル・グレイン・レザーは、部分的に通気性があり、水の高い吸収性を示す。このため、このレザーは、水に触れると濡れて水は透過／通過できるようになる。この為フル・グレイン・レザーは、バッグの製造には余り適さない。その理由は、雨に当たった時／濡れた時、バッグの中身も濡れてしまうからである。
【００３９】
レザーに表面保護処理例えばポリウレタン・ワニス処理が施されている場合には、そのレザーは防水性となる。この為レザー・バッグの大部分は表面保護処理が施されている。しかしこの表面保護処理によりレザーはその通気性を失い気密（air tight）となる。この気密性により、バッグ内部の温度が突然下がった場合（例えば温かい室内環境から寒い屋外環境に持ち出された場合）には、湿分はバッグの中に閉じこめられ結露する。結露が起こると損傷を受けるような電子機器がバッグ内にある場合には、特に重大問題である。
【００４０】
上記のことから、レザー層は疎水性剤例えばシリコン・エステルでコーティングして、小孔を介した水の吸収を阻止するのが好ましい。
【００４１】
疎水性添加剤（hydrophobic additive）をコーティングしていないレザー層に比較して、疎水性添加剤を塗布したレザー層の水分吸収率を１０％以下に、毛細管現象による水分吸収レベルを１ｃｍ／ｈ以下にするのが好ましい。この値は標準ＥＮＩＳＯ２４１７のガイドラインに沿って測定される。
【００４２】
レザー層は、通気性と防水性のある材料の層が接着される側とは反対側に表面コーティングが施される。表面コーティングはウレタン・ワニス処理であり、かくしてレザー層の防水性が高まる。
【００４３】
レザー層は、グラフェン・ベースのドーピング剤（graphene-based doping agent）でコーティングすることもできる。これにより引っ張り強度、引き裂き強度が増加する。紫外線反射剤（infrared-reflecting agent）でコーティングしてもよい。これにより直射日光を浴びたときに温度上昇を押さえることができる。
【００４４】
本発明の通気性と防水性のある多層構造材料は、水を吸収しない（non-water-absobing）通気性がある材料製の強化層を含む。これは加水分解耐性を有する接着剤により通気性機能を保持できる非積層構造となるよう接着される。この通気性と防水性のある材料は、レザー層と強化層との間に配置される。
【００４５】
「加水分解耐性のある接着剤」とは水又は湿分に接触しても劣化しない接着剤である。「非積層構造」とは接着されるべき層の間に接着剤の連続シートが形成されない構造である。連続シートは得られた材料の通気性を阻害するからである。
【００４６】
本発明の他の実施例によれば、通気性と防水性のある多層構造材料は、加水分解耐性の接着剤で非積層構造となるよう接着された水を吸収せず通気性のある材料製の３Ｄファブリック層を含む。通気性と防水性のある材料の層は、レザー層と３Ｄファブリック層の間に配置される。
【００４７】
３Ｄファブリックとは、ファイバー（糸）が三次元のパターンに従って織られた繊維である。３Ｄファブリックは、各スティッチ内で、各スティッチ内で使用されるファイバーの厚さ和よりも厚いファブリックを得る。そしてギャップがファブリックの内側に残り、これによりより大きなボリュームを得る。
【００４８】
本発明のバッグは、防水性のある接着剤テープの手段によりシールされたシームを有し、このテープが前記シームの上部に接着され、このシームも防水機能を確保する。
【図面の簡単な説明】
【００４９】
【図１】本発明のバッグであるリュックサックの斜視図である。点線で示された加熱装置がバッグの内部に収納されその接続状態を示す。加熱装置は無線通信装置を有し携帯電話である遠隔制御装置に接続されている状態を示す。
【図２】本発明のバッグに含まれる通気性と防水性のある多層構造材料の一部の展開図である。小孔の開いたレザー層と、通気性と防水性のある材料の層と、強化層とが示されている。
【図３】本発明のバッグに含まれる通気性と防水性のある多層構造材料の一部の展開図である。小孔の開いたレザー層と、通気性と防水性のある材料の層と、強化層と、加熱装置の加熱用抵抗体とが示されている。加熱用抵抗体は、通気性と防水性のある層と強化層の間に配置されたフレキシブルな巻き線のフィラメントの形状をしている。
【発明を実施するための形態】
【００５０】
本発明の一実施例によれば、例えばバッグ、リュックサックは、少なくとも部分的に通気性と防水性のある多層構造材料層２０を含み、バッグの通気性を確保している。
【００５１】
図１に示す本発明のバッグは、巻き上げ式の上部包囲体を有し、これにより水密性（water-tightness）と必要に応じて調整される容積を確保する。
【００５２】
バッグを形成する多層構造材料層２０を構成する層の１つは、通気性のある防水性材料層２１であり、空気と水蒸気は透過させるが液状の水は通過させない。
【００５３】
防水性材料層２１は複数の小孔（pore）を有する層である。この小孔のサイズは、水滴の大きさの数千分の一の大きさと、水蒸気の分子（water vapour molecule）の数百倍の大きさの間にある。この範囲のサイズの小孔は、水滴の通過は阻止するが、水蒸気の通過／透過は阻止しない。
【００５４】
本発明のバッグは加熱装置４０を有し、この加熱装置４０は加熱用抵抗体４１とバッテリー４２と制御装置４３とを有する。
【００５５】
この実施例において加熱用抵抗体４１は、ケーブルの形態をしたフレキシブルな半導体であり、バッグを構成する壁の１つにジグザグに配置される。
【００５６】
図３において、この実施例では、加熱用抵抗体４１は多層構造材料層２０に取り付けられる。これは接着剤により或いは縫い付けにより、多層構造材料層２０を構成する様々な層の間に埋設する形で取り付けられる。
【００５７】
バッテリー４２は、バッグのポケット内に収納される１２Ｖのバッテリーであり、加熱用抵抗体４１に可動コネクタを介して接続される。このため素早く接続／切り離しが可能で、これによりバッテリー４２を取り外したり、交換したり、充電することができる。
【００５８】
図１において、バッテリー４２は更なる付属接続ケーブル４６を有し、これにより加熱装置４０の外部にある携帯装置例えば携帯電話あるいは他の電子機器にバッテリー４２から充電できる。
【００５９】
図１に示すように、制御装置４３はバッテリー４２内に埋設される。或いはバッテリー４２から独立した形態で配置することもできる。制御装置４３は、バッグ内に入れられ、加熱用抵抗体４１とバッテリー４２の間に配置される。
【００６０】
制御装置４３により、バッテリー４２から加熱用抵抗体４１への電力供給の入り切りをするが、これは所定のプログラミングに従ってあるいはスイッチにより行われる。
【００６１】
制御装置４３は温度センサーを有し、制御装置４３は、温度センサーから得られた読み取り値に応じて加熱用抵抗体４１を活性化することができる。
【００６２】
制御装置４３は、更にあるいはこれに加えて、無線通信装置４４を有し、遠隔制御装置４５に接続される。
【００６３】
図１において、無線通信装置４４はＷＩＦＩアンテナあるいはＢＬＵＥＴＯＯＴＨアンテナであり、遠隔制御装置４５は携帯電話等である。
【００６４】
この構成によりユーザは、加熱装置４０の状態、その温度、バッグの温度、バッテリー４２の充電状態、あるいは遠隔制御装置４５から得られたパラメータを確認でき、更に加熱装置４０の接続あるいは切断を指示できる。遠隔制御装置４５内に埋設されたセンサーの使用あるいは遠隔制御装置４５がインターネットを介した天気予報へのアクセスができるようになる。遠隔制御装置４５で受信した情報を用いて、ユーザに加熱装置４０のオン・オフを知らせることを或いはそのオン・オフを自動的に決定できる。
【００６５】
更にバッグ内に埋設された無線通信装置４４を用いて、ユーザは遠隔制御装置４５を介して自分がバッグから離れている時、或いは警報信号を発することを知る、あるいはバッグが遠隔制御装置４５から離れた時に自動的に加熱装置４０を切ることもできる。
【００６６】
制御装置４３は、光信号又は音信号の信号発信装置を有し、加熱用抵抗体４１の活性化状態、その温度、バッテリーの充電状態を知らせることができる。例えばＬＥＤあるいはスクリーンがバッグに組み込まれ、バッグの外からそれを視ることができ、そしてユーザに対し興味のある情報を表示できる。
【００６７】
図２，３に示すように、多層構造材料層２０の構成要素として、層を貫通する小孔１１のアレイを具備したレザー層１０を含むことができる。
【００６８】
レザー層１０は、なめし処理の間あるいはその製造過程の間、シリコン・エステルのコーティングを施して、それに疎水性特性を具備させることができる。
【００６９】
選択的事項として、レザー層１０の一方の側が表面コーティング層１２を有してもよい。好ましくは小孔を形成する前にポリウレタン・ワニスの処理をしてもよい。
【００７０】
レザー層は、グラフェンベースのドーピング剤（graphene-based doping agent）でコーティングすることもできる。これにより引っ張り強度、引き裂き強度が増加する。紫外線反射剤（infrared-reflecting agent）でコーティングしてもよい。
【００７１】
かくして得られたレザー層１０は、小孔１１により通気性はあるが、防水ではないが疎水性処理により水は吸収しない。その理由は水は貫通小孔１１を通過するからである。しかし処理したレザーの高い疎水特性により、毛細管現象による貫通小孔を通した水の吸収を減らすあるいは阻止することができる。
【００７２】
レザー層１０のレザーは、天然レザーあるいはコラーゲン・レザーであり、これは、リサイクルされたコラーゲンから得られる、あるいはバイオ・エンジリアニングにより生成される。
【００７３】
多層構造材料層２０は強化層３０を有する。この強化層３０は防水性材料層２１をカバーしそれを保護する。強化層３０は、水を吸収せず通気性がある材料製保護層、あるいは水を吸収しない通気性のある３Ｄファブリック層である。
【００７４】
多層構造材料層２０全て層を重ね合わせ、加水分解耐性のある接着剤（即ち水あるいは水蒸気に接触しても劣化しない接着剤）で、非積層構造（即ち層の間にシート（通気性バリア）を形成しない形態）で互いに接着する。
【００７５】
接着剤は、スプレーの形態で分散させる。その結果、接着剤は接着すべき表面全体で互いに分離した飛沫あるいは微飛沫の形態で滞留する。その直後に層を組み立てる。
【００７６】
本発明の他の実施例は、接着すべき側の表面全体に粉末形態で接着剤を分散させ、その後層を重ねて、その接着剤の粉末粒子を加熱することにより格子を通過させ、接着剤の粉末粒子を活性化して接着する。
【００７７】
本発明の他の実施例は、接着剤を接着すべき表面全体に飛沫あるいは離間したラインの形態で制御しながら配置する。
【００７８】
上記した解決法のいずれも表面全体に接着を形成するが、接着剤が本発明の多層構造材料の通気性に対し障害とならないようにする。
【００７９】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。「少なくとも１つ或いは複数」、「と／又は」は、それらの内の１つに限定されない。例えば「Ａ，Ｂ，Ｃの内の少なくとも１つ」は「Ａ」、「Ｂ」、「Ｃ」単独のみならず「Ａ，Ｂ或いはＢ，Ｃ更には又Ａ，Ｂ，Ｃ」のように複数のものを含んでもよい。「Ａ，Ｂ，Ｃの内の少なくとも１つ」は、Ａ，Ｂ，Ｃ単独のみならずＡ，Ｂの組合せＡ，Ｂ，Ｃの組合せでもよい。「Ａ，Ｂと／又はＣ」は、Ａ，Ｂ，Ｃ単独のみならず、Ａ，Ｂの２つ、或いはＡ，Ｂ，Ｃの全部を含んでもよい。本明細書において「Ａを含む」「Ａを有する」は、Ａ以外のものを含んでもよい。特に記載のない限り、装置又は手段の数は、単数か複数かを問わない。
【符号の説明】
【００８０】
１０：レザー層
１１：貫通小孔
１２：表面コーティング層
２０：通気性と防水性のある多層構造
２１：通気性のある防水性材料層
３０：強化層  
４０：加熱装置  
４１：加熱用抵抗体 
４２：バッテリー  
４３：制御装置          
４４：無線通信装置
４５：遠隔制御装置
４６：付属接続ケーブル
【図１】
2019217285.tif 000003
【図２】
2019217285.tif 000004
【図３】
2019217285.tif 000005
【外国語明細書】
2019217285000001.pdf